(57)【要約】【課題】封止可能であるうえ、封止しない状態でも保冷保温効果を十分に発揮し、また、比較的重い物であっても安定した姿勢で持ち運びできることで、目的・用途に合わせて複数の持運び状態を選択することができ、且つ、各持運び状態で保冷保温効果を十分に発揮することができる簡易な保冷保温袋を提供する。【解決手段】上方に開口３を有する保冷保温袋１であって、内面側に遮熱層を有する２袋体と、袋体２の正面側及び背面側に設けられた持ち手部と、袋体２の正面側又は背面側に設けられ、開口３を閉じた状態で対向する面を係止することができる係止手段と、袋体の正面側又は背面側に設けられ、対向する面への貼着によって開口３を封止する封止手段とを備えた。【選択図】図１
2017061324.tif 000002
【特許請求の範囲】
【請求項１】
上方に開口を有する保冷保温袋であって、
内面側に遮熱層を有する袋体と、
該袋体の正面側及び背面側に設けられた持ち手部と、
前記袋体の正面側又は背面側に設けられ、前記開口を閉じた状態で対向する面を係止することができる係止手段と、
前記袋体の正面側又は背面側に設けられ、対向する面への貼着によって前記開口を封止する封止手段とを備えたことを特徴とする保冷保温袋。
【請求項２】
前記持ち手部を用いた持運び状態で、該持ち手部が前記係止手段に係合し、前記封止手段を用いなくとも前記係止手段の対向する面への係止を保持するものとしてなる請求項１記載の保冷保温袋。
【請求項３】
前記係止手段が、前記袋体の正面又は背面に、一部が前記開口から上方に突出するように貼り付けられた、前記開口の幅と略同一寸法の長さを有する帯状の封止シールよりなり、前記封止手段が、前記封止シールの上側に、対向する面に接着可能な封止用接着部が設けられてなる請求項２記載の保冷保温袋。
【請求項４】
前記袋体の外面が紙材よりなる請求項１〜３の何れか１項記載の保冷保温袋。
【請求項５】
前記袋体の内面をアルミニウムよりなるものとして前記遮熱層を形成してなる請求項１〜４の何れか１項記載の保冷保温袋。
【請求項６】
印刷面と遮熱面とを有するシート材の該印刷面に、輪転印刷機により所望の画像や文字等を印刷する印刷工程と、
該印刷工程の後に、前記シート材を輪転製袋機により、前記印刷面が外側であって上方に開口を有する袋体とする製袋工程と、
前記開口を形成する一辺に、この開口を封止するための封止シールを接着する封止シール接着工程と、
前記袋体の対向する二面に持ち手を貼りつける持ち手貼付工程とよりなる保冷保温袋の製造方法。
【請求項７】
前記シート材が、裏面にアルミ蒸着された紙製シート材としてなる請求項６記載の保冷保温袋の製造方法。
【発明の詳細な説明】
【技術分野】
【０００１】
本発明は、持ち手付きの保冷保温袋に関わり、更に詳しくは、封止手段とは別に一時的に開口を閉じた状態で維持する係止手段を備えたことで、比較的重い物を封止しない状態で持ち運ぶ場合でも開口が勝手に開いてしまうことがなく、目的・用途に合わせて複数の持運び状態を選択することがで、各状態において十分に保温保冷効果を発揮することができる簡易な保冷保温袋と、その製造方法に関するものである。
【背景技術】
【０００２】
従来、簡易な構成の保冷保温用袋体として、発泡フィルムの外側に、少なくとも一方向に配列された多数の線状体からなる芯材を介してアルミ蒸着フィルムが一体的に設けられてなるものがある（特許文献１参照）。
【０００３】
この保冷保温用袋は、発泡フィルムの外側に多数の線状体からなる芯材を介してアルミ蒸着フィルムを設けることで、保冷又は保温が必要な物を持ち運ぶことができるものである。
しかし、この保冷保温用袋は、通常の紙袋の形状のままでその袋体を遮熱効果のあるものとしただけのものであるため、上方の開口を封止することはできず、内気と外気が入れ替わることで保冷保温効果が十分に発揮されず、長時間持ち歩くためには改善が必要であった。
【０００４】
また、内側に保冷保温用のフォームシートをラミネートした袋部材として、シート状の軟質樹脂素材の両端縁を各折り返して第１端縁及び第２端縁を突き合わせ、第１端縁を含む短い折り返し部分に把手穴を設け、第２端縁を含む長い折り返し部分の周囲縁部を封着することで袋部を形成するとともに、開口部を覆う封着片を備えたものがある（特許文献２参照）。
【０００５】
この袋部材は、開口部を封着することのできる封着片を設けたことにより、簡易な構成であっても持運び時には開口部を閉じることで保冷保温効果が適切に発揮されることを目的としたものである。
しかし、この袋部材は、袋部を形成する裏側シートと表側シートのうち、裏側シートに把手穴、表側シートに封着片が設けられているため、比較的重い物を入れると、把手穴のある裏側シートのみを使用者が支持することになり、反対側となる表側シートにほとんどの荷重がかかる傾いた姿勢となって結果的に封着部に荷重がかかる。このため、封着部が荷重に負けて勝手に開いてしまうことがあり、また、持運びの袋体の姿勢が悪くなることで持ち運び難く、比較的重い物を持ち運ぶには適さないものとなっていた。
【先行技術文献】
【特許文献】
【０００６】
【特許文献１】実公昭６２−１１５３５０号公報
【特許文献２】特開２００５−１３８８８２号公報
【発明の概要】
【発明が解決しようとする課題】
【０００７】
本発明が前述の状況に鑑み解決しようとするところは、封止可能であるうえ、封止しない状態でも保冷保温効果を十分に発揮し、また、比較的重い物であっても安定した姿勢で持ち運びできることで、目的・用途に合わせて複数の持運び状態を選択することができ、且つ、各持運び状態で保冷保温効果を十分に発揮することができる簡易な保冷保温袋を提供する点にある。
【課題を解決するための手段】
【０００８】
本発明に係る保冷保温袋は、前記課題解決のために、上方に開口を有する保冷保温袋であって、内面側に遮熱層を有する袋体と、該袋体の正面側及び背面側に設けられた持ち手部と、前記袋体の正面側又は背面側に設けられ、前記開口を閉じた状態で対向する面を係止することができる係止手段と、前記袋体の正面側又は背面側に設けられ、対向する面への貼着によって前記開口を封止する封止手段とを備えたことを特徴とするものである。
【０００９】
ここで、前記持ち手部を用いた持運び状態で、該持ち手部が前記係止手段に係合し、前記封止手段を用いなくとも前記係止手段の対向する面への係止を保持するものとしてなると好ましい。
【００１０】
また、前記係止手段が、前記袋体の正面又は背面に、一部が前記開口から上方に突出するように貼り付けられた、前記開口の幅と略同一寸法の長さを有する帯状の封止シールよりなり、前記封止手段が、前記封止シールの上側に、対向する面に接着可能な封止用接着部が設けられてなると、より好ましい。
【００１１】
さらに、前記袋体の外面が紙材よりなるものであってもよい。
【００１２】
さらにまた、前記袋体の内面をアルミニウムよりなるものとして前記遮熱層を形成してなるものであってもよい。
【００１３】
印刷面と遮熱面とを有するシート材の該印刷面に、輪転印刷機により所望の画像や文字等を印刷する印刷工程と、該印刷工程の後に、前記シート材を輪転製袋機により、前記印刷面が外側であって上方に開口を有する袋体とする製袋工程と、前記開口を形成する一辺に、この開口を封止するための封止シールを接着する封止シール接着工程と、前記袋体の対向する二面に持ち手を貼りつける持ち手貼付工程とより製造することができる。
【００１４】
前記シート材が、裏面にアルミ蒸着された紙製シート材としたものであってもよい。
【発明の効果】
【００１５】
本発明に係る保冷保温袋によれば、封止手段と共に、開口を閉じた状態で維持できる係止手段を設けているため、比較的重い物を封止しない状態で持ち運ぶ場合でも係止手段の対向する面への係止によって開口が閉じた状態を保持することができ、且つ、袋体に対向するように持ち手部を設けているため、安定した姿勢で持ち運ぶことができる。
【００１６】
また、前記持ち手部を用いた持運び状態で、該持ち手部が前記係止手段に係合し、前記封止手段を用いなくとも前記係止手段の対向する面への係止を保持するものとしてなると、持運び状態で保温保冷効果を発揮しつつ、より安定したものとすることが可能となる。
【００１７】
さらに、前記係止手段が、前記袋体の正面又は背面に、一部が前記開口から上方に突出するように貼り付けられた、前記開口の幅と略同一寸法の長さを有する帯状の封止シールよりなり、前記封止手段が、前記封止シールの上側に、対向する面に接着可能な封止用接着部が設けられてなるものであれば、係止手段と封止手段が封止シールによりなるため、簡易な構成とすることができる。
【００１８】
さらにまた、前記袋体の外面が紙材よりなるものによると、材料費が安く、袋体への印刷も容易となるため、製造コストを低廉化することができる。
【００１９】
また、前記袋体の内面をアルミニウムよりなるものとして前記遮熱層を形成してなるものによると、保温保冷効果とともに、撥水効果を得ることができる。
【００２０】
さらにまた、印刷面と遮熱面とを有するシート材の該印刷面に、輪転印刷機により所望の画像や文字等を印刷する印刷工程と、該印刷工程の後に、前記シート材を輪転製袋機により、前記印刷面が外側であって上方に開口を有する袋体とする製袋工程と、前記開口を形成する一辺に、この開口を封止するための封止シールを接着する封止シール接着工程と、前記袋体の対向する二面に持ち手を貼りつける持ち手貼付工程とよりなる製造方法であれば、輪転印刷機と輪転製袋機を用いるため、汎用機械を用いることによる製造コストの低廉化が可能となる。
【００２１】
また、前記シート材が、裏面にアルミ蒸着された紙製シート材であると、材料費を抑え製造コストを低廉化することができる。
【図面の簡単な説明】
【００２２】
【図１】本発明の第一実施形態に係る保冷保温袋の構成を示す斜視図である。
【図２】同じく保冷保温袋の封止シールの構成を示す部分拡大側面図である。
【図３】同じく保冷保温袋の封止シールの係止状態を示す部分拡大側面図である。
【図４】同じく保冷保温袋の封止シールによる封止状態を示す部分拡大縦断面図である。
【図５】本発明の第二実施形態に係る保冷保温袋の構成を示す斜視図である。
【図６】同じく保冷保温袋の構成を示す側面図である。
【図７】本発明の第三実施形態に係る有底型の保冷保温袋の構成を示す斜視図である。
【図８】本発明の第四実施形態に係る封筒型の保冷保温袋の構成を示す斜視図である。
【発明を実施するための形態】
【００２３】
以下、本発明の実施形態を添付図面に基づき詳細に説明するが、本発明は、添付図面に示された形態に限定されず特許請求の範囲に記載の要件を満たす実施形態の全てを含むものである。
【００２４】
本明細書において、袋体の持ち手を有する手前側の面を正面、これの反対面である奥側の面を背面とし、また、開口側を上とし底側を下として上下方向を決定する。
また、開口を閉じた状態とは、開口を完全に閉じた状態のみならず、開口が少し開いていてもほぼ閉じているといえる状態も含むものとする。
持ち手部が係止手段に係合するとは、持ち手部が直接的又は間接的に係止手段の係止が解除されないように当接等することをいう。
【００２５】
本発明に係る保冷保温袋の実施形態（第一実施形態）を、図１〜図４に沿って説明する。
【００２６】
図１に示すように、第一実施形態に係る保冷保温袋１Ａは、上方に開口３を有する略直方体状の袋体２の正面及び背面に持ち手４、４が設けられ、開口３から上方に突出するように貼り付けられた封止シール５が設けられて、この封止シール５が、開口３を閉じた状態で保持する係止手段としてなるとともに、この封止シール５が剥離シートを有するシール体となっていることにより、開口３を封止する封止手段としてもなるものである。
【００２７】
袋体２は、片面にアルミニウムが蒸着された紙材２ａが、アルミ蒸着面２ｂが内面に位置し、上方に開口３を有する袋状に形成されたものであり、正面及び背面には持ち手４、４が設けられている。紙材２ａにアルミニウムを直接蒸着することで薄いシート材のままで保温保冷効果を得るものとなっているため、汎用の印刷機による紙材への印刷が可能であると共に、内面の撥水効果も得られるので、保冷又は保温をしながら物を持ち運ぶ簡易な袋として有用なものとなっている。
【００２８】
袋体２の開口３は、持ち運ぶ物の出し入れ口であるが、この開口３を、持ち運ぶ物を入れた後に開いたままにしておくと、内気と外気とが入れ替わり保温保冷を適切に行い続けることができなくなる。このため、保温保冷効果を十分に発揮しながら持ち運ぶには、この開口３を閉じた状態で維持する必要がある。
袋体２の左右両側面には、一般的な紙袋と同様に逆Ｙ字状の折り目が設けられており、この折り目によって、左右両側面を折り曲げることで、開口３を形成する正面と背面とが接触又は接近し開口３が閉じた状態となる。
袋体２の正面及び背面には、夫々持ち手４、４が設けられている。
【００２９】
持ち手４は、紐部４ａと固定部４ｂとよりなり、シール体である固定部４ｂの袋体２への貼着によって持ち手４が袋体２に取り付けられている。紐部４ａは、逆Ｕ字状となる状態で、その両端が袋体２に貼り付けられている。この持ち手４、４は、袋体２の正面と背面に、対向するように設けられているため、使用者は、この紐部４ａ、４ａを手で掴む等して持運ぶことで持ち運ぶ物の荷重を二個の持ち手４、４に自然に分散することができ、安定した姿勢を維持して保冷保温袋１を持ち運ぶことができる。
持ち手４は、袋体２に孔を設けず袋体２に取り付けることできる、簡易なものとして一般的なタックハンドルを用いているが、これに限らず、例えば、袋体２に設けた片面二個、合計四個の孔に紐の両端を通してこれらの端部同士を接着して設けたものとすることで、袋体２の印刷面を被覆せず袋全体の外観を向上するものとしてもよい。
【００３０】
封止シール５は、図２にも示すように、袋体２の開口３を形成する正面上端に、上方に向かって突出するように貼り付けられている。この封止シール５は、図３に示すように、開口３を閉じた状態で対向する面である袋体２の背面に、その突出する部分を折り曲げるようにして係止させることができる係止手段となるものである。また、封止シール５の折り曲げられた部分は、持運び状態の持ち手４と係合するため、開口を閉じた状態を保持することができる。
封止シール５は、片面を接着面とするシール本体５ａと、この接着面に貼り付けられた剥離シートとよりなり、剥離シートは水平方向にのびる切り目５ｄによって、上下に二分されている。この二分された剥離シートのうち、上側は開口３を封止する際に剥離される封止用剥離シート５ｂであり、下側は剥離されることなく、封止された開口３を開封する際に、シール本体５ａの一部と共に切り離される非接着部５ｃである。シール本体５ａの封止用剥離シート５ｂに対応する部分は、開口３を封止する際に用いられる封止用接着部５ｆである。
ここで、非接着部５ｃと袋体２の上端との間には、若干のクリアランスが設けられており、この間の封止シール５は、剥離シートを有さず、一枚のシート材で構成されることとなる。このため、封止シール５を折り曲げようとすると、自然に、この一枚のシート材のみで構成される部分で折り曲げられ、適切な位置で綺麗な折り曲げを行うことができる。
また、封止シール５には、切り目５ｄの左右両端と、これらの下側であって袋体２よりも少し上側に、切込み５ｅ、５ｅ、…が合計四個設けられ、封止後の開封が行ない易いものとなっている。
なお、封止シール５は、帯状のシール体の剥離シートを上下に三分割する切り目を設けて、この最下部の剥離シートを剥がして、袋体２の開口３を形成する一辺に貼り付けることで、袋体２に対して設けることができる。
【００３１】
図３には、係止手段によって開口３が閉じられた状態を示す。保冷保温袋１では、封止シール５が係止手段となる。
図示するように係止手段が機能する状態とするには、まず、持ち運ぶ物を保冷保温袋１入れて開口３を閉じた状態とする。次に、封止シール５の上側を、開口３を覆うようにして折り曲げる。このときに封止シール５の非接着部５ｃと袋体２との間のシール本体５ａのみによりなる部分や、非接着部５ｃと封止用剥離シート５ｂとの間の切り目５ｄに沿って折り曲げるようにすると、剥離シートによる抵抗が少なく、直線状に綺麗に折り曲げることができる。これによって、封止シール５による係止手段が機能する状態となる。
ここで、封止シール５の折り曲げた部分が、袋体２と持ち手４との間で挟まれているため、使用者が持ち手を用いて持ち運ぶ状態で、持ち手４が封止シール５の対向する面への係止を保持して、開口３が開くことを防止することができる。
また、この状態では、接着等の貼付けを行なわないため、繰り返し使用することが可能であり、複数回の出し入れが必要な場合などに特に有効である。
【００３２】
図４には、封止手段によって開口が封止された状態を示す。保冷保温袋１では、封止シール５が封止手段となる。
図示するように封止手段が機能する状態とするには、図３の係止手段が機能する状態から、封止シール５の封止用剥離シート５ｂを剥離して、この剥離した面を、袋体２の対向する外側面の上部に貼り付ける。これにより、開口３が封止されて、密封又はこれに近い状態となることで、より高い保冷保温効果を得ることができる。
この封止した保冷保温袋１の開封は、非接着部５ｃと封止シール５の非接触部５ｃに対応する部分とを手で引きながら切り離して行なう。ここで、封止シール５の封止用剥離シート５ｂの下側の非接着部５ｃは、剥離シートがそのまま残ることによって袋体２には接着しないため、開封作業がより簡易なものなっている。
また、この引き剥がされる部分は、封止シール５と非接着部５ｃとの二枚によって構成されているため、強度が高く、必要部分が破れてしまったり、適切でない位置で引き剥がされてしまったりすることが少ないという利点もある。
この開封作業は、封止シール５の左右両端部に設けられた四個の切込みを利用して開始することで、容易に適切な部分を引き剥がすことができる。
【００３３】
保冷保温袋１Ａの製造方法を以下に説明する。
【００３４】
まず、表面側に印刷面を有し、裏面側に遮熱面を有するシート材の表面に、輪転印刷機により所望の画像や文字等を印刷する印刷工程を行う。シート材は、紙材の裏面がアルミ蒸着されてなるものであるため、その薄さと印刷加工容易性から一般的な輪転印刷機を用いて印刷を行うことができ、安価に印刷することが可能である。
【００３５】
次に、該印刷工程の後に、前記シート材を輪転製袋機により、前記印刷面を外側とし上方に開口を有する袋体とする製袋工程を行う。シート材は、紙材の裏面が蒸着されてなるものであるため、その薄さと製袋加工容易性から一般的な輪転製袋機を用いて製袋することが可能である。
この製袋工程は、前工程である印刷工程を共に、輪転式の機械で行うため、これらが一体的に組み込まれた装置によれば、より迅速且つ安価に、印刷及び製袋を行うことが可能となる。
【００３６】
最後に、前記開口を形成する一辺に、この開口を封止するための封止シールを接着する封止シール接着工程を行い、前記袋体の対向する二面に持ち手を貼り付ける持ち手貼付工程を行うことで、保冷保温袋１となる。
【００３７】
図５及び図６には、別の実施形態（第二実施形態）に係る保冷保温袋１Ａを示す。
第二実施形態に係る保冷保温袋１Ａは、図５及び図６に示すように、正面視における袋体２Ａの左右両側の上端近傍に、貫通孔６、６、…を設け、この全ての貫通孔６、６、…に持ち手用紐４Ａを通して持ち手用紐４Ａの両端を結ぶ等して取り付けてなるものである。このような構成によれば、袋体２の表面を広く表示することができ、袋体２の外側面への印刷による外観の向上をより発揮しやすいものとすることができる。
【００３８】
図７には、更に別の実施形態（第三実施形態）に係る保冷保温袋１Ｂを示す。
第三実施形態に係る保冷保温袋１Ｂは、袋体２Ｂの正面側シートを上方に延長して折返し片を設けるとともに、この延長部分と袋体２Ｂの上部とに、横方向に長い長孔４Ｂを持ち手として設け、この長孔４Ｂの下側の袋体２内面に、両面接着テープよりなる封止シール５Ｂを、その片面の剥離シートを剥離し貼付して設けてなるものである。この保冷保温袋１Ｂでは、袋体２Ｂの片面を上方に延長してなる折返し片７が係止手段となる。
この折返し片７は図示するように、折り返すことで、開口３を閉じた状態で対抗する面に係止するものである。また、持運び状態では、使用者の手がこの状態を保持することでより確実な保冷保温効果を継続することができる。
このような構成によれば、持ち手を簡易なものとすることで製造コストを低廉化することができる。
【００３９】
図８には、更にまた別の実施形態（第四実施形態）に係る保冷保温袋１Ｃを示す。
第四実施形態に係る保冷保温袋１Ｃは、封筒型の袋体２Ｃの上部に略Ｕ字状の切り目を設け、この切目の下側の袋体２Ｃ内面に、両面接着テープよりなる封止シール５Ｃを、その片面の剥離シートを剥離して貼付してなるものである。この保冷保温袋１Ｃでは、袋体２Ｃの略Ｕ字状の切り目によって形成される折返し片８が係止手段となる。
この折返し片８は図示するように、折り返すことで、開口３を閉じた状態で対抗する面に係止するものである。また、持運び状態では、使用者の手がこの状態を保持することでより確実な保冷保温効果を継続することができる。
このような構成によれば、袋体と持ち手を簡易なものとすることで製造コストをより低廉化することができる。
【００４０】
第二〜第四実施形態におけるその他の構成については、上記第一実施形態と同様であり、同一構造については同一の符号を付してその説明を省略する。
【００４１】
上記実施形態では、袋体２の遮熱層を、保温保冷対象物の結露対策として撥水効果もあるアルミ蒸着面として説明したが、これに限らず、遮熱効果を有するものであれば、他のものであってもよい。また、この遮熱層は最内面に限らず、内面に近い位置で保冷保温効果を発揮できるものであればよく、例えば、遮熱層よりも更に内面にコーティング等が施されたものであってもよい。
袋体２の内側底面については、一般的な袋における全ての構成を採用することができるが、保温保冷効果の更なる向上や補強、防水を目的として、遮熱効果や防水性を有する底板を設けてもよい。
また、保冷保温袋１は、基本的に単体で用いられるものであるが、二重袋の外袋や内袋として使用されるものとしても用いることができる。
【符号の説明】
【００４２】
１，１Ａ，１Ｂ，１Ｃ 保冷保温袋
２，２Ａ，２Ｂ，２Ｃ 袋体
２ａ   紙材
２ｂ   アルミ蒸着面
３     開口
４     持ち手
４Ａ   持ち手用紐
４Ｂ   長孔
４ａ   紐部
４ｂ   固定部
５，５Ｂ，５Ｃ       封止シール
５ａ   シール本体
５ｂ   封止用剥離シート
５ｃ   非接着部
５ｄ   切り目
５ｆ   封止用接着部
６     貫通孔
７     折返し片
８     折返し片
【図１】
2017061324.tif 000003
【図２】
2017061324.tif 000004
【図３】
2017061324.tif 000005
【図４】
2017061324.tif 000006
【図５】
2017061324.tif 000007
【図６】
2017061324.tif 000008
【図７】
2017061324.tif 000009
【図８】
2017061324.tif 000010